(57)【特許請求の範囲】
【請求項１】
放送コンテンツと、当該放送コンテンツの特定の再生区間での再生方法を定めた再生制御情報の取得先を示すアドレス情報と、を含む放送データを受信する受信手段と、
前記受信手段が受信した前記放送データを記憶する記憶手段と、
前記記憶手段に記憶された前記放送データの放送コンテンツを再生する際に、前記アドレス情報が示す取得先から前記再生制御情報を取得する取得手段と、
前記取得手段が取得した前記再生制御情報に従い前記放送コンテンツの再生を行う再生手段と、
を備えたデジタル放送録画再生装置。
【請求項２】
前記取得手段は、前記取得先から前記放送データの一部または全てを修正した修正データを取得し、
前記再生手段は、前記放送コンテンツの前記特定の再生区間を前記修正データに差し替えて再生する請求項１記載のデジタル放送録画再生装置。
【請求項３】
前記取得手段は、前記取得先からＷｅｂコンテンツを取得し、
前記再生手段は、前記放送コンテンツの前記特定の再生区間に前記Ｗｅｂコンテンツを合成して再生する請求項１記載のデジタル放送録画再生装置。
【請求項４】
前記再生手段は、前記放送コンテンツの前記特定の再生区間を抜粋して再生する請求項１記載のデジタル放送録画再生装置。
【請求項５】
前記再生手段は、前記放送コンテンツの前記特定の再生区間の再生形態を変更する請求項１記載のデジタル放送再生装置。
【請求項６】
前記取得手段は、前記取得先からＷｅｂコンテンツを取得し、
前記再生手段は、前記放送コンテンツの前記特定の再生区間の再生形態を変更するとともに、当該特定の再生区間に前記Ｗｅｂコンテンツを合成する請求項１記載のデジタル放送録画再生装置。
【請求項７】
前記再生手段は、前記放送コンテンツの前記特定の再生区間の音声をミュートする請求項１記載のデジタル放送録画再生装置。
【請求項８】
前記取得手段は、前記放送コンテンツの再生開始時に前記取得先にアクセスする請求項１乃至７の何れかに記載のデジタル放送録画再生装置。
【請求項９】
放送コンテンツと、当該放送コンテンツの特定の再生区間での再生方法を定めた再生制御情報の取得先を示すアドレス情報と、を含む放送データを受信する受信工程と、
前記受信工程で受信した前記放送データを記憶する記憶工程と、
前記記憶工程で記憶した前記放送データの放送コンテンツを再生する際に、前記アドレス情報が示す取得先から前記再生制御情報を取得する取得工程と、
前記取得工程で取得した前記再生制御情報に従い前記放送コンテンツの再生を行う再生工程と、
を備えたデジタル放送録画再生方法。
【発明の詳細な説明】
【技術分野】
【０００１】
本発明の実施形態は、デジタル放送録画再生装置およびデジタル放送録画再生方法に関する。
【背景技術】
【０００２】
近年、一般家庭においても、インターネット等の通信環境が充実してきている。同報性に優れた放送に対して、通信は個別の情報伝送に優れている。このような放送と通信の特性を利用して、放送及び通信によって得られるコンテンツを融合させて、付加価値の高いコンテンツの提供を可能とするハイブリッドキャスト（Ｈｙｂｒｉｄｃａｓｔ：登録商標）方式が注目されている。
【０００３】
ハイブリッドキャスト方式では、テレビジョン受像機等の表示端末は、放送信号に基づくコンテンツを取得すると共に、インターネット等の通信回線を介してサーバにアクセスして、通信によってコンテンツを取得する。そして、表示端末は、放送信号に基づくコンテンツ（以下、放送コンテンツという）と通信によって得たコンテンツとを合成して表示する。各表示端末は、通信により個別の情報を取得することができ、表示端末毎に、ユーザが好みのコンテンツ表示が可能である。
【０００４】
ところで、放送コンテンツの放送時に含まれる映像のうち、録画再生時に表示されることが好ましくないものがある。例えば、警報や地震情報、事故情報、選挙速報等の文字スーパーは、緊急性・速報性の強い情報であるため、放送時に映像に含まれることが好ましい。しかし、放送コンテンツを録画し後日視聴する際に過去の地震情報や事故情報等の文字スーパーが表示されると、番組の視聴の妨げにもなる。
【０００５】
そこで、デジタル放送データの中に番組データと、文字スーパーデータと、文字スーパーの表示条件を含む管理データとが多層化されたデジタル放送データを受信機で受信し、表示条件に該当しない場合には、文字スーパーを表示しないようにすることができるデジタル放送システムがある。
【０００６】
また、デジタル放送データ中に所定の属性を有するオブジェクトがあるか否かを判定し、上記所定の属性を有するオブジェクトがあると判定された場合には、このオブジェクトを非表示としたり、アイコンで置き換える等したりすることで、文字スーパーを表示しないようにする画像処理方法がある。
【先行技術文献】
【特許文献】
【０００７】
【特許文献１】特開２００９−５５１００号公報
【特許文献２】特開２００２−７７７８９号公報
【発明の概要】
【発明が解決しようとする課題】
【０００８】
しかし、上述した技術では、デジタル放送データに管理データやオブジェクトの属性データ等の複雑なデータを予め含めておくことが必要である。そのため、デジタル放送データの内容が複雑となり、放送するデータ容量が大きくなるとともに、その作成に手間を要する。また、再生時の制御内容は固定的であり、多様な制御を行うことができない。
【０００９】
本発明が解決しようとする課題は、単純な構成のデジタル放送データを用いて、当該放送データの再生をより柔軟に制御することが可能なデジタル放送録画再生装置およびデジタル放送録画再生方法を提供することである。
【課題を解決するための手段】
【００１０】
実施形態のデジタル放送録画再生装置は、受信手段と、記憶手段と、取得手段と、再生手段と、を備えている。受信手段は、放送コンテンツと、当該放送コンテンツの特定の再生区間での再生方法を定めた再生制御情報の取得先を示すアドレス情報と、を含む放送データを受信する。記憶手段は、受信手段が受信した放送データを記憶する。取得手段は、記憶手段に記憶された放送データの放送コンテンツを再生する際に、アドレス情報が示す取得先から再生制御情報を取得する。再生手段は、取得手段が取得した再生制御情報に従い放送コンテンツの再生を行う。
【図面の簡単な説明】
【００１１】
【図１】図１は、本実施形態に係るデジタル放送録画再生装置を含むデジタル放送システムを示すブロック図である。
【図２】図２は、放送データの構成を示す図である。
【図３】図３は、Ｗｅｂデータの構成を示す図である。
【図４】図４は、再生部とＷｅｂブラウザとのデータ授受を示す図である。
【図５】図５は、実施例１に係るデジタル放送録画再生装置の放送コンテンツの再生制御を説明するための図である。
【図６】図６は、は図５の再生制御の手順を示すフローチャートである。
【図７】図７は、実施例２に係るデジタル放送録画再生装置の放送コンテンツの再生制御を説明するための図である。
【図８】図８は、図７の再生制御の手順を示すフローチャートである。
【図９】図９は、実施例３に係るデジタル放送録画再生装置の放送コンテンツの再生制御を説明するための図である。
【図１０】図１０は、図９の再生制御の手順を示すフローチャートである。
【図１１】図１１は、実施例４に係るデジタル放送録画再生装置の放送コンテンツの再生制御を説明するための図である。
【図１２】図１２は、図１１の再生制御の手順を示すフローチャートである。
【図１３】図１３は、再生区間情報を示す図である。
【図１４】図１４は、実施例５に係るデジタル放送録画再生装置の放送コンテンツの再生制御を説明するための図である。
【図１５】図１５は、図１４の再生制御の手順を示すフローチャートである。
【図１６】図１６は、実施例６に係るデジタル放送録画再生装置の放送コンテンツの再生制御を説明するための図である。
【図１７】図１７は、図１６の再生制御の手順を示すフローチャートである。
【図１８】図１８は、実施例７に係るデジタル放送録画再生装置の放送コンテンツの再生制御を説明するための図である。
【図１９】図１９は、図１８の再生制御の手順を示すフローチャートである。
【発明を実施するための形態】
【００１２】
以下、本発明の実施形態に係るデジタル放送録画再生装置について図を用いて説明する。図１は、本実施形態に係るデジタル放送録画再生装置を含むデジタル放送システムを示すブロック図である。
【００１３】
デジタル放送録画再生装置１は、放送局２００から放送データを受信し保存するとともに、Ｗｅｂサーバ３００と通信を行い、Ｗｅｂサーバ３００からＷｅｂデータを受信する。
【００１４】
デジタル放送録画再生装置１は、放送局２００により放送される放送データを受信するチューナ２と、チューナ２により受信した放送データを記憶装置４に記憶させる録画制御を行う録画部３と、記録装置４に記憶された放送コンテンツの再生制御を行う再生部５と、Ｗｅｂサーバ３００と通信してＷｅｂデータを受信するＷｅｂブラウザ６と、マルチプレクサ（ｍｕｘ）７とを備えている。
【００１５】
チューナ２は、例えば、高周波増幅回路と、局部発振回路及び混合回路とからなる周波数変換回路と、を備え、アンテナ等により入力されたデジタルテレビジョン放送信号（ＲＦ信号）等の放送データから、特定周波数帯域の放送データを受信する。
【００１６】
図２は、放送データの構成を示す図である。チューナ２により受信される放送データには、図２に示すように、動画や静止画、音声等のデータである放送コンテンツと、後述するＷｅｂブラウザ６がＷｅｂサーバ３００にアクセスするためのアドレス情報としてのＵＲＬとが含まれている。なお、本実施形態においてはアドレス情報としてＵＲＬを用いているが、本発明においてはこれに限らず、ＵＲＬ以外のＵＲＩ等を用いてもよい。
【００１７】
チューナ２により受信された放送データは、録画部３を経て記憶装置４に記憶される。このとき、記憶装置４には、放送データ中の放送コンテンツとＵＲＬの両方が記憶される。
【００１８】
再生部５は、記録装置４に記録されている放送データを読み込み、放送データ中の放送コンテンツをマルチプレクサ７に送信し図示しない表示部に表示させるとともに、放送データ中のＵＲＬを抽出し、Ｗｅｂブラウザ６に送信する。また、再生部５は、後述するようにＷｅｂブラウザ６から送信される再生制御スクリプトに従い、記憶装置４に記憶されている放送コンテンツ（以下「録画コンテンツ」という。）の再生制御を行う。さらに、再生部５は、マルチプレクサ７を制御し、再生部５から送信される放送コンテンツとＷｅｂブラウザ６から送信されるＷｅｂコンテンツの合成の態様を変化させる。
【００１９】
Ｗｅｂブラウザ６は、再生部５により抽出されたＵＲＬに基づき、インターネットを介してそのＵＲＬに対応するＷｅｂサーバ３００にアクセスし、Ｗｅｂサーバ３００からＷｅｂデータを受信する。そして、Ｗｅｂデータに含まれる再生制御情報に基づき再生制御スクリプトを生成し、再生部５に送信する。また、Ｗｅｂブラウザ６は、Ｗｅｂデータに含まれるＷｅｂコンテンツをマルチプレクサ７に送信し図示しない表示部に表示させる。
【００２０】
図３は、Ｗｅｂデータの構成を示す図である。Ｗｅｂデータには、動画や静止画、音声等のデータであるＷｅｂコンテンツデータと、放送コンテンツの再生制御に用いられる再生制御情報とが含まれている。
【００２１】
マルチプレクサ７は、再生部５による制御のもと、Ｗｅｂブラウザ６から送信されるＷｅｂコンテンツと、再生部５から送信される放送コンテンツとを合成して、図示しない表示部等の外部機器へと出力する。Ｗｅｂブラウザ６からのＷｅｂコンテンツと、再生部５からの放送コンテンツのいずれか一方のみがマルチプレクサ７に入力された場合には、合成を行うことなく、入力されたコンテンツをそのまま表示部等へと送信する。
【００２２】
図４は、再生部５とＷｅｂブラウザ６とのデータのやり取りを示す図である。まず、再生部５は、上述した記録装置４に記録されている放送データを読み込む（ステップＳ１）。
【００２３】
次に、再生部５は、放送データに含まれている、再生制御情報の取得先であるＷｅｂサーバ３００のアドレス情報としてのＵＲＬをＷｅｂブラウザ６に送信する（ステップＳ２）。
【００２４】
次に、ＵＲＬを受信したＷｅｂブラウザ６は、ＵＲＬを用いてＷｅｂサーバ３００にアクセスし、Ｗｅｂデータに含まれるＷｅｂコンテンツを取得する（ステップＳ３）。
【００２５】
また、Ｗｅｂブラウザ６は、Ｗｅｂデータに含まれる再生制御情報を取得し、再生制御情報から再生制御スクリプトを生成する（ステップＳ４）。
【００２６】
次に、Ｗｅｂブラウザ６は、生成した再生制御スクリプトを再生部５に送信する（ステップＳ５）。
【００２７】
再生制御スクリプトを受信した再生部５は、この再生制御スクリプトに従い、録画コンテンツの再生制御を行う（ステップＳ６）。
【００２８】
なお、Ｗｅｂコンテンツとしては、製品情報等の情報を示す文字情報や画像である付加情報も含むことができ、この場合、Ｗｅｂブラウザ６は、付加情報をマルチプレクサ７に出力することで、図示しない表示部に表示させる（ステップＳ７）。
【００２９】
以下、上述したデジタル放送録画再生装置１における放送コンテンツの再生制御の各実施例について説明する。
【実施例１】
【００３０】
図５は、実施例１に係るデジタル放送録画再生装置の放送コンテンツの再生制御を説明するための図である。図６は、図５の再生制御の手順を示すフローチャートである。
【００３１】
本実施例に係る再生制御では、記憶装置４に記憶された録画コンテンツとしての放送番組中にニュース速報を示す字幕スーパーが表示されている場合について説明する。本実施例においては、録画コンテンツの再生時に、この字幕スーパーが表示される録画コンテンツの所定の時間帯について、録画コンテンツと同内容で字幕スーパーが消去されたＷｅｂコンテンツに置き換えられることで、字幕スーパーが消去された同一内容の動画の提供が行われる。
【００３２】
図５（Ａ）に、録画コンテンツの１例として１５分間の動画が示されている。この動画では、再生開始後１１分２２秒の時点から１３分９秒の時点まで、ニュース速報を示す字幕スーパーが表示される。
【００３３】
本実施例において説明する再生制御を行うため、Ｗｅｂブラウザ６がＷｅｂサーバ３００から受信したＷｅｂデータ中には、再生部５に対して図６に示すフローチャートを実行させる再生制御情報が含まれている。Ｗｅｂブラウザ６は、この再生制御情報に基づき再生制御スクリプトを生成し、再生部５へと送信する。
【００３４】
再生制御スクリプトを受信した再生部５は、まず、録画コンテンツの再生開始から１１分２２秒の時点に到達したか否かの判断を行う（ステップＳ１１）。１１分２２秒の時点に到達していない場合（ステップＳ１１；Ｎｏ）、再生部５は、同時点に到達するまで録画コンテンツの再生を継続する。
【００３５】
一方、再生部５は、１１分２２秒の時点に到達したと判断すると（ステップＳ１１；Ｙｅｓ）、記録装置４からの録画コンテンツの読み込みを停止し、１１分２２秒の時点以降の録画コンテンツの再生を停止する（ステップＳ１２）。
【００３６】
次に、Ｗｅｂブラウザ６は、Ｗｅｂコンテンツとして、録画コンテンツと同内容の番組であって、字幕スーパーが除かれたもの（修正データ）が保存されているＷｅｂサーバ３００から、１１分２２秒の時点以降の動画に相当する部分をダウンロードする（ステップＳ１３）。そして、Ｗｅｂブラウザ６は、ダウンロードした修正データを、マルチプレクサ７を介して表示部に送信し、外部の表示部に表示させる。
【００３７】
次に、再生部５は、修正データが録画コンテンツの再生開始から１３分９秒の時点に相当する時点に到達したか否かの判断を行う（ステップＳ１４）。再生部５は、１３分９秒の時点に到達していない場合（ステップＳ１４；Ｎｏ）は、同時点に到達するまで修正データの再生を継続する。
【００３８】
一方、再生部５は、修正データが録画コンテンツの再生開始から１３分９秒の時点に相当する時点に到達したと判断すると（ステップＳ１４；Ｙｅｓ）、修正データの表示に替えて、再生開始後１３分９秒の時点からの録画コンテンツを記録装置４から読み込み、再生を再開する（ステップＳ１５）。
【００３９】
上述した実施例１で説明した再生制御によると、ＵＲＬを含めただけの簡易な放送データを用いた場合であっても、字幕スーパーが含まれている放送コンテンツの録画再生時に字幕スーパーのない動画を再生することができる。なお、修正データのダウンロードは好ましくは録画コンテンツの再生開始前に開始され、更に好ましくは、再生開始とともに開始される。また、１１分２２秒の時点から修正データをストリーミング再生してもよい。
【実施例２】
【００４０】
図７は、実施例２に係るデジタル放送録画再生装置の放送コンテンツの再生制御を説明するための図である。図８は、図７の再生制御の手順を示すフローチャートである。
【００４１】
本実施例に係る再生制御では、録画コンテンツとしての放送番組の所定の箇所にＷｅｂコンテンツとしての画像パーツを重ねて表示する場合について説明する。ここでは、録画コンテンツの再生時に、所定の時間帯に現れる特定の人物の顔を不明確にするためにその人物の顔にグラフィックパーツを重ねて表示する場合を例に説明する。本実施例においては、録画コンテンツの再生開始後１７分２５秒の時点から１７分５５秒の時点に出現する人物の表示が不適切であるため、その人物を不明確にすべく、目の部分にマスキング用のグラフィックパーツが重ねて表示される。
【００４２】
この場合、Ｗｅｂブラウザ６がＷｅｂサーバ３００から受信したＷｅｂデータ中には、再生部５に対して図８に示すフローチャートを実行させる再生制御情報が含まれている。Ｗｅｂブラウザ６は、この再生制御情報に基づき再生制御スクリプトを生成し、再生部５へと送信する。
【００４３】
この場合、まず、再生部５は、録画コンテンツの再生開始後１７分２５秒の時点に到達したか否かの判断を行う（ステップＳ２１）。再生部５は、１７分２５秒の時点に到達していないと判断した場合（ステップＳ２１；Ｎｏ）は、同時点に到達するまで録画コンテンツの再生が継続される。
【００４４】
一方、再生部５が、１７分２５秒の時点に到達したと判断すると（ステップＳ２１；Ｙｅｓ）、Ｗｅｂブラウザ６に対してＵＲＬを送信する。Ｗｅｂブラウザ６は、上記ＵＲＬを用いてＷｅｂサーバ３００にアクセスし、Ｗｅｂコンテンツとしてマスキング用のグラフィックパーツを受信し、マルチプレクサ７に送信する。また、再生部５は、マルチプレクサ７に対し、再生部５から受信した録画コンテンツのうち所定の人物の目の部分に、Ｗｅｂブラウザ６から送信されたマスキング用のグラフィックパーツを重ね合わせ、外部の表示部へと送信するよう制御を行う（ステップＳ２２）。
【００４５】
次に、再生部５は、録画コンテンツの再生開始から１７分５５秒の時点に到達したか否かの判断を行う（ステップＳ２３）。再生部５は、１７分５５秒の時点に到達していないと判断した場合（ステップＳ２３；Ｎｏ）、同時点に到達するまで録画コンテンツの再生およびグラフィックパーツの表示を継続する。
【００４６】
一方、再生部５は、録画コンテンツの再生開始から１７分５５秒の時点に到達したと判断した場合（ステップＳ２３；Ｙｅｓ）、マスキングを要する人物が登場しなくなるため、マルチプレクサ７に対し、Ｗｅｂブラウザ３００からのマスキング用のグラフィックパーツの表示を行わないよう制御し、グラフィックパーツの表示を解除する（ステップＳ２４）。
【００４７】
上述した実施例２で説明した再生制御によると、ＵＲＬを含めただけの簡易な放送データを用いた場合であっても、録画コンテンツの再生時に録画コンテンツにグラフィックパーツを重ねて表示することができる。なお、グラフィックパーツのダウンロードは好ましくは１７分２５秒の時点より前に開始され、更に好ましくは、録画コンテンツの再生開始とともに開始される。また、１７分２５秒の時点からグラフィックパーツをストリーミング再生してもよい。
【実施例３】
【００４８】
図９は、実施例３に係るデジタル放送録画再生装置の放送コンテンツの再生制御を説明するための図である。図１０は、図９の再生制御の手順を示すフローチャートである。
【００４９】
本実施例に係る再生制御では、録画コンテンツとしての放送番組の所定の箇所に、Ｗｅｂコンテンツである製品情報等の付加情報を表示する場合について説明する。ここでは、録画コンテンツの再生時に、所定の時間帯に現れる製品の販売店や価格、掲載されている雑誌等の詳細情報を表示するために、その商品の画像の右側に付加情報を重ねて表示する場合を例に説明する。本実施例においては、録画コンテンツの再生開始から１０分２０秒の時点から１０分２５秒の時点において、表示されている商品についての付加情報が表示される。
【００５０】
この場合、Ｗｅｂブラウザ６がＷｅｂサーバ３００から受信したＷｅｂデータ中には、再生部５に対して図９に示すフローチャートを実行させる再生制御情報が含まれている。Ｗｅｂブラウザ６は、この再生制御情報に基づき再生制御スクリプトを実行し、再生制御スクリプトによる再生制御指示を再生部５へと送信する。なお、再生部５からＷｅｂブラウザ６へのＵＲＬの送信は、録画コンテンツの再生開始とともに行われ、Ｗｅｂサーバ３００からのＷｅｂデータのダウンロードが開始される。
【００５１】
まず、再生部５は、録画コンテンツの再生開始から１０分２０秒の時点に到達したか否かの判断を行う（ステップＳ３１）。再生部５は、１０分２０秒の時点に到達していないと判断した場合（ステップＳ３１；Ｎｏ）、同時点に到達するまで録画コンテンツの再生を継続する。
【００５２】
一方、再生部５は、１０分２０秒の時点に到達したと判断すると（ステップＳ３１；Ｙｅｓ）、Ｗｅｂブラウザ６がＷｅｂサーバ３００からＷｅｂコンテンツとしてダウンロードした付加情報を表示するよう、マルチプレクサ７を制御する。マルチプレクサ７は、再生部５から受信した録画コンテンツの表示部分の右側に、Ｗｅｂブラウザ３００から送信された付加情報を配置し、外部の表示部へと送信する（ステップＳ３２）。
【００５３】
次に、再生部５は、録画コンテンツの再生開始から１０分２５秒の時点に到達したか否かの判断を行う（ステップＳ３３）。再生部５は、１０分２５秒の時点に到達していないと判断した場合（ステップＳ３３；Ｎｏ）、同時点に到達するまで録画コンテンツの再生および付加情報の表示を継続する。
【００５４】
一方、再生部５は、録画コンテンツの再生開始から１０分２５秒の時点に到達したと判断した場合（ステップＳ３３；Ｙｅｓ）、マルチプレクサ７に対してＷｅｂブラウザ３００からの付加情報を表示させないように制御し、付加情報の表示を解除する。
【００５５】
上述した実施例３で説明した再生制御によると、ＵＲＬを含めただけの簡易な放送データを用いた場合であっても、録画コンテンツの再生時に録画コンテンツに付加情報を併せて表示することができる。なお、再生部５からＷｅｂブラウザ６へのＵＲＬの送信およびは、好ましくは録画コンテンツの再生開始とともに開始される。
【実施例４】
【００５６】
図１１は、実施例４に係るデジタル放送録画再生装置の放送コンテンツの再生制御を説明するための図である。図１２は、図１１の再生制御の手順を示すフローチャートである。図１３は、再生区間情報を示す図である。
【００５７】
本実施例に係る再生制御では、録画コンテンツの一部を抜粋して再生するダイジェスト再生を行なう場合について説明する。ここでは、図１１（Ａ）に示す１時間の録画コンテンツについて、図１１（Ｂ）に示すように、録画コンテンツの再生開始から１０分の時点から２０分２秒の時点、３０分１０秒の時点から３５分の時点、および５０分４５秒の時点から１時間の時点までの３つの区間を抜粋して再生することが行われる。なお、再生部５からＷｅｂブラウザ６へのＵＲＬの送信は、録画コンテンツの再生開始とともに行われ、Ｗｅｂサーバ３００からのＷｅｂデータのダウンロードが開始される。
【００５８】
この場合、Ｗｅｂブラウザ６がＷｅｂサーバ３００から受信したＷｅｂデータ中には、再生部５に対して図１２に示すフローチャートを実行させる再生制御情報が含まれている。Ｗｅｂブラウザ６は、この再生制御情報に基づき再生制御スクリプトを実行し、再生制御スクリプトによる再生制御指示を再生部５へと送信する。
【００５９】
まず、再生部５は、Ｗｅｂブラウザ６がＷｅｂサーバ３００から取得した再生制御情報に含まれている、図１３に示す再生区間情報をＷｅｂブラウザ６から読み込む（ステップＳ４１）。この再生区間情報は、再生すべき録画コンテンツの区間について、その始点および終点となる、録画コンテンツの再生開始からの時点が指定されて構成されている。
【００６０】
次に、再生部５は、最初に再生すべき区間の始点から録画コンテンツの再生を開始する(ステップＳ４２)。
【００６１】
次に、再生部５は、再生区間の終点に到達したか否かの判断を行う（ステップＳ４３）。再生部５は、終点に到達していないと判断した場合（ステップＳ４３；Ｎｏ）、録画コンテンツの再生を継続する。
【００６２】
一方、再生部５は、再生区間の終点に到達されたと判断した場合（ステップＳ４３；Ｙｅｓ）、再生区間情報を参照して、次の再生区間があるか否かの判断を行う（ステップＳ４４）。
【００６３】
再生部５は、次の再生区間が存在すると判断した場合（ステップＳ４４；Ｙｅｓ）、次の再生区間の始点と終点を再生区間情報から取得し、次の再生区間の再生を行う（ステップＳ４５）。
【００６４】
一方、再生部５は、次の再生区間が存在しないと判断した場合（ステップＳ４４；Ｎｏ）、録画コンテンツの再生を終了する。
【００６５】
上述した実施例４で説明した再生制御によると、ＵＲＬを含めただけの簡易な放送データを用いた場合であっても、録画コンテンツのダイジェスト再生を行うことができる。
【実施例５】
【００６６】
図１４は、実施例５に係るデジタル放送録画再生装置の放送コンテンツの再生制御を説明するための図である。図１５は、図１４の再生制御の手順を示すフローチャートである。
【００６７】
本実施例に係る再生制御では、通常図１４（Ａ）に示すように表示部全体に表示される録画コンテンツを、図１４（Ｂ）に示すように縮小して表示すると共に、縮小表示により生じた画面中の余白に番組情報などの付加情報が併せて表示することが行われる。
【００６８】
この場合、Ｗｅｂブラウザ６がＷｅｂサーバ３００から受信したＷｅｂデータ中には、再生部５に対して図１５に示すフローチャートを実行させる再生制御情報が含まれている。Ｗｅｂブラウザ６は、この再生制御情報に基づき再生制御スクリプトを実行し、再生制御スクリプトによる再生制御指示を再生部５へと送信する。なお、再生部５からＷｅｂブラウザ６へのＵＲＬの送信は、録画コンテンツの再生開始とともに行われ、Ｗｅｂサーバ３００からのＷｅｂデータのダウンロードが開始される。
【００６９】
まず、再生部５は、再生する録画コンテンツを縮小する（ステップＳ５１）。なお、この放送コンテンツを縮小するための再生制御情報は、Ｗｅｂブラウザ６がＷｅｂサーバ３００から取得した再生制御情報に含まれている。Ｗｅｂブラウザ６は再生制御情報に基づき再生制御スクリプトを生成し、再生部５に送信する。再生部５はこの再生制御スクリプトに基づき、図１４に示す再生制御を行う。
【００７０】
次に、再生部５は、縮小された録画コンテンツを表示部の所定の位置（図１４（Ｂ）において画面左上）に表示する（ステップＳ５２）。この表示位置も上記再生制御情報に含まれている。また、このとき、画面右側から下側にかけて、録画コンテンツが表示されない余白部分が生じる。
【００７１】
次に、再生部５は、画面上の余白部分に、Ｗｅｂブラウザ６がＷｅｂサーバ３００から受信したＷｅｂデータ中に含まれる番組情報を表示するようマルチプレクサ７を制御する（ステップＳ５３）。
【００７２】
上述した実施例５で説明した再生制御によると、ＵＲＬを含めただけの簡易な放送データを用いた場合であっても、録画コンテンツを縮小するとともに、生じた余白部分に番組情報等を表示することができる。
【実施例６】
【００７３】
図１６は、実施例６に係るデジタル放送録画再生装置の放送コンテンツの再生制御を説明するための図である。図１７は、図１６の再生制御の手順を示すフローチャートである。
【００７４】
本実施例に係る再生制御では、通常図１６（Ａ）に示すように表示部全体に表示される録画コンテンツが、図１６（Ｂ）に示すように縮小し、かつ所定の角度回転されて表示されると共に、縮小表示により生じた画面中の余白に、番組情報などの付加情報が併せて表示される。
【００７５】
この場合、Ｗｅｂブラウザ６がＷｅｂサーバ３００から受信したＷｅｂデータ中には、再生部５に対して図１７に示すフローチャートを実行させる再生制御情報が含まれている。Ｗｅｂブラウザ６は、この再生制御情報に基づき再生制御スクリプトを生成し、再生部５へと送信する。なお、再生部５からＷｅｂブラウザ６へのＵＲＬの送信は、録画コンテンツの再生開始とともに行われ、Ｗｅｂサーバ３００からのＷｅｂデータのダウンロードが開始される。
【００７６】
まず、再生部５は、再生する録画コンテンツを縮小する（ステップＳ６１）。このステップＳ６１は、図１５を用いて上述した実施例５のステップＳ５１と同様であるため説明は省略する。
【００７７】
次に、再生部５は、縮小された録画コンテンツを所定の角度回転する（ステップＳ６２）。この回転動作も上述した再生制御情報に含まれている。
【００７８】
次に、再生部５は、縮小、回転された録画コンテンツを表示部の所定の位置（図１６（Ｂ）において画面左上）に表示する（ステップＳ６３）。このステップＳ６３は、図１５を用いて上述した実施例５のステップＳ５２と同様であるため説明は省略する。
【００７９】
次に、再生部５は、画面上の余白部分に番組情報を表示する（ステップＳ６４）。このステップＳ６４は、図１５を用いて上述した実施例５のステップＳ５３と同様であるため説明は省略する。
【００８０】
上述した実施例６で説明した再生制御によると、ＵＲＬを含めただけの簡易な放送データを用いた場合であっても、録画コンテンツを縮小、回転するとともに、生じた余白部分に番組情報等を表示することができる。
【実施例７】
【００８１】
図１８は、実施例７に係るデジタル放送録画再生装置の放送コンテンツの再生制御を説明するための図である。図１９は、図１８の再生制御の手順を示すフローチャートである。
【００８２】
本実施例に係る再生制御では、図１８（Ａ）に示すように、放送時に放送事故等により生じた不適切な雑音を、図１８（Ｂ）に示すように、録画コンテンツの再生時に消去（ミュート）することができる。具体的には、図１８（Ａ）に示すように、放送コンテンツの再生開始時から１５分１５秒から１５分１７秒の間に、「ガシャン」という放送に不適切な雑音が発生し、これが放送コンテンツの音声として収録されてしまっている。この再生開始時後１５分１５秒から１５分１７秒の間の雑音を、放送コンテンツの録画再生時にはミュートするための再生制御が行われる。
【００８３】
この場合、Ｗｅｂブラウザ６がＷｅｂサーバ３００から受信したＷｅｂデータ中には、再生部５に対して図１９に示すフローチャートを実行させる再生制御情報、すなわち、再生開始時後１５分１５秒から１５分１７秒の間の音声をミュートする再生制御情報が含まれている。Ｗｅｂブラウザ６は、この再生制御情報に基づき再生制御スクリプトを生成し、再生部５へと送信する。なお、再生部５からＷｅｂブラウザ６へのＵＲＬの送信は、録画コンテンツの再生開始とともに行われ、Ｗｅｂサーバ３００からのＷｅｂデータのダウンロードが開始される。
【００８４】
まず、再生部５は、録画コンテンツの再生開始から１５分１５秒の時点に到達したか否かの判断を行う（ステップＳ７１）。再生部５は、１５分１５秒の時点に到達していないと判断した場合（ステップＳ７１；Ｎｏ）、同時点に到達するまで録画コンテンツの再生を継続する。
【００８５】
一方、再生部５は、１５分１５秒の時点に到達したと判断すると（ステップＳ７１；Ｙｅｓ）、１５分１５秒の時点からの録画コンテンツの音声をミュートする（ステップＳ７２）。
【００８６】
次に、再生部５は、録画コンテンツの再生開始から１５分１７秒の時点に到達したか否かの判断を行う（ステップＳ７３）。再生部５は、１５分１７秒の時点に到達していないと判断した場合（ステップＳ７３；Ｎｏ）、同時点に到達するまでミュート状態における録画コンテンツの再生を継続する。
【００８７】
一方、再生部５は、録画コンテンツの再生開始から１５分１７秒の時点に到達したと判断した場合（ステップＳ７３；Ｙｅｓ）、再生中の録画コンテンツのミュートを解除し、音声出力を再開する（ステップＳ７４）。
【００８８】
上述した実施例７で説明した再生制御によると、ＵＲＬを含めただけの簡易な放送データを用いた場合であっても、録画コンテンツの再生時に所望の時間帯の録画コンテンツの音声をミュートすることができる。
【００８９】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００９０】
１…デジタル放送録画再生装置、２…チューナ、３…録画部、４…記憶装置、５…再生部、６…Ｗｅｂブラウザ、７…マルチプレクサ（ｍｕｘ）、２００…放送局、３００…Ｗｅｂサーバ
【要約】
【課題】単純な構成のデジタル放送データを用いて、当該放送データの再生を柔軟に制御することが可能なデジタル放送録画再生装置およびデジタル放送録画再生方法を提供する。
【解決手段】放送コンテンツと放送コンテンツの再生制御に係る再生制御情報の取得先を示したアドレス情報とを含む放送データを受信する受信手段と、受信手段が受信した放送データを記憶する記憶手段と、記憶手段に記憶された放送データの放送コンテンツを再生する際に、アドレス情報が示す取得先から再生制御情報を取得する取得手段と、取得手段が取得した再生制御情報に従い放送コンテンツの再生を行う再生手段と、を備えている。
【選択図】図１【図１】
0005132808.tif 000002
【図２】
0005132808.tif 000003
【図３】
0005132808.tif 000004
【図４】
0005132808.tif 000005
【図５】
0005132808.tif 000006
【図６】
0005132808.tif 000007
【図７】
0005132808.tif 000008
【図８】
0005132808.tif 000009
【図９】
0005132808.tif 000010
【図１０】
0005132808.tif 000011
【図１１】
0005132808.tif 000012
【図１２】
0005132808.tif 000013
【図１３】
0005132808.tif 000014
【図１４】
0005132808.tif 000015
【図１５】
0005132808.tif 000016
【図１６】
0005132808.tif 000017
【図１７】
0005132808.tif 000018
【図１８】
0005132808.tif 000019
【図１９】
0005132808.tif 000020